(57)【要約】【課題】  冷蔵庫において、貯蔵物から発生する水蒸気で収納ケース内の湿度が高くなるため、内部に結露が生じ、その結露が付着して貯蔵物を腐食させることがある。【解決手段】  本発明に係る冷蔵庫は、貯蔵物を収納する収納ケース、及び収納ケースの背面に向けて冷気を吹き出す吹出口を有する貯蔵室を備えた冷蔵庫において、収納ケースは、上面が開口された箱型の形状であるケース部、及び下面が開口された箱型の形状であるカバー部から構成され、カバー部は、ケース部を上方から覆っており、カバー部の背面は、ケース部の背面の上方かつ後方に設けられ、カバー部の背面及びケース部の背面の間に空隙を有することを特徴としている。【選択図】  図５
2018109512.tif 000002
【特許請求の範囲】
【請求項１】
貯蔵物を収納する収納ケース、及び該収納ケースの背面に向けて冷気を吹き出す吹出口を有する貯蔵室を備えた冷蔵庫において、
前記収納ケースは、上面が開口された箱型の形状であるケース部、及び下面が開口された箱型の形状であるカバー部から構成され、
前記カバー部は、前記ケース部を上方から覆っており、
前記カバー部の背面は、前記ケース部の背面の上方かつ後方に設けられ、
前記カバー部の背面及び前記ケース部の背面の間に空隙を有することを特徴とする冷蔵庫。
【請求項２】
前記カバー部の背面は、前記ケース部の背面との間に非接触領域を有し、
前記空隙は、前記非接触領域であることを特徴とする請求項１に記載の冷蔵庫。
【請求項３】
前記カバー部又は前記ケース部は、前記カバー部の背面及び前記ケース部の背面の間に延伸部を有し、
前記延伸部は孔を有し、
前記空隙は、前記孔であることを特徴とする請求項１又は２に記載の冷蔵庫。
【請求項４】
前記貯蔵室は、前記空隙から前記収納ケース外へ排出された結露水を溜めるための水受部を有することを特徴とする請求項１から３のいずれかに記載の冷蔵庫。
【請求項５】
前記貯蔵室は、チルド室であって、
前記チルド室は、冷気を前記チルド室外に出す戻り口を有し、
前記冷蔵庫は、冷蔵室及びダクトを有し、
前記ダクトは、前記戻り口及び前記冷蔵室を繋ぐことを特徴とする請求項１から４のいずれかに記載の冷蔵庫。
【発明の詳細な説明】
【技術分野】
【０００１】
本発明は、冷蔵庫に関し、特に、貯蔵室内に収納ケースを備えた冷蔵庫に関する。
【背景技術】
【０００２】
冷蔵庫は、冷凍室、冷蔵室、及び野菜室を備えたものが普及している。冷蔵室内には、約０℃前後の低い温度で保たれるチルド室を有している。チルド室内では、冷気が当たることによって貯蔵する食材が乾燥することを防ぐため、略密閉となる食材の収容ケースが設置される場合がある。このような冷蔵庫として、次のものが開示されている。
【０００３】
図１２は、特許文献１に開示された冷蔵庫において、冷蔵室１０１の下部周辺を示す図である。冷蔵室１０１は、最下部の棚である冷蔵室棚下１０２、及び冷蔵室１０１の底面の断熱壁１０３の間に、チルド室となるスライド室１０４が配置される。
【０００４】
スライド室１０４は、−３℃〜＋３℃の温度範囲内に、冷蔵室１０１内とは独立して温度が制御される。スライド室１０４は、前後にスライドする収納ケース１０５の前面上部に蓋１０６を覆う構造であり、略密閉構造となっている。
【先行技術文献】
【特許文献】
【０００５】
【特許文献１】特開２００３−３２９３６２号公報
【発明の概要】
【発明が解決しようとする課題】
【０００６】
しかしながら、特許文献１に開示された冷蔵庫では、貯蔵物から蒸散する水分で収納ケース内の湿度が高くなるため、内部に結露が生じ、その結露水が滴下、付着して貯蔵物を劣化させることがある。
【０００７】
本発明は、上記の問題に鑑みてなされたものであり、その目的は、貯蔵室内の収納ケースにおいて、結露水が付着して貯蔵物が劣化することを防ぐ冷蔵庫を提供することにある。
【課題を解決するための手段】
【０００８】
本発明に係る冷蔵庫は、貯蔵物を収納する収納ケース、及び収納ケースの背面に向けて冷気を吹き出す吹出口を有する貯蔵室を備えた冷蔵庫において、収納ケースは、上面が開口された箱型の形状であるケース部、及び下面が開口された箱型の形状であるカバー部から構成され、カバー部は、ケース部を上方から覆っており、カバー部の背面は、ケース部の背面の上方かつ後方に設けられ、カバー部の背面及びケース部の背面の間に空隙を有することを特徴としている。
【０００９】
本発明の一実施態様においては、カバー部の背面は、ケース部の背面との間に非接触領域を有し、空隙は、非接触領域であっても良い。
【００１０】
本発明の一実施態様においては、カバー部又はケース部は、カバー部の背面及びケース部の背面の間に延伸部を有し、延伸部は孔を有し、空隙は孔であっても良い。
【００１１】
本発明の一実施態様においては、貯蔵室は、空隙から収納ケース外へ排出された結露水を溜めるための水受部を有しても良い。
【００１２】
本発明の一実施態様においては、貯蔵室は、チルド室であって、チルド室は、冷気をチルド室外に出す戻り口を有し、冷蔵庫は、冷蔵室及びダクトを有し、ダクトは、戻り口及び冷蔵室を繋いでも良い。
【発明の効果】
【００１３】
本発明に係る冷蔵庫は、貯蔵室内の収納ケースにおいて、結露水が付着して貯蔵物が劣化することを防ぐことができる。
【図面の簡単な説明】
【００１４】
【図１】実施形態１の冷蔵庫の概略正面図である。
【図２】実施形態１の冷蔵庫を右側面から見たときの概略断面図である。
【図３】実施形態１の冷蔵庫を正面から見たときの概略断面図である。
【図４】実施形態１のチルド室の周辺の概略斜視図である。
【図５】実施形態１のチルド室を右側面から見たときの模式断面図である。
【図６】実施形態１のケース部の背面及びカバー部の背面を上面から見たときの模式断面図である。
【図７】実施形態２のケース部の背面及びカバー部の背面を上面から見たときの模式断面図である。
【図８】実施形態３のチルド室を右側面から見たときの模式断面図である。
【図９】実施形態３のケース部の背面及びカバー部の背面を上面から見たときの模式断面図である。
【図１０】実施形態４のチルド室を右側面から見たときの模式断面図である。
【図１１】実施形態５のチルド室を右側面から見たときの模式断面図である。
【図１２】特許文献１に開示された冷蔵庫において、冷蔵室の下部周辺を示す図である。
【発明を実施するための形態】
【００１５】
〔実施形態１〕
実施形態１に係る冷蔵庫について、図面を参照して説明すれば、以下の通りである。
【００１６】
図１は、本実施形態に用いられる冷蔵庫１の概略正面図である。本実施形態の冷蔵庫１は、貯蔵室として、冷蔵室２、製氷室３、上部冷凍室４、下部冷凍室５及び野菜室６を備える。
【００１７】
冷蔵室２は、冷蔵庫１の最上段に設けられ、観音開きの扉７を有する。使用者は、扉７を開いて冷蔵保存する貯蔵物の出し入れを行う。
【００１８】
製氷室３は冷蔵室２の下側の左側、上部冷凍室４は冷蔵室２の下側の右側、下部冷凍室５は製氷室３及び上部冷凍室４の下側、及び野菜室６は下部冷凍室５の下側で最下段に設けられる。
【００１９】
製氷室３、上部冷凍室４、下部冷凍室５及び野菜室６は、手前側に引き出して、冷凍保存するものや野菜等を出し入れすることができる。尚、野菜室６は、野菜の貯蔵に適した温度である約６〜８℃程度に維持される。
【００２０】
図２は、本実施形態に用いられる冷蔵庫１を右側面から見たときの概略断面図である。図３は、本実施形態に用いられる冷蔵庫１を正面から見たときの概略断面図である。
【００２１】
図２に示す様に、冷蔵室２は、冷蔵室２内の空間を仕切る仕切棚８、仕切棚９、仕切棚
１０、仕切棚１１、複数の収納ポケット１２、及びチルド室１３を有する。仕切棚８、仕切棚９、仕切棚１０及び仕切棚１１の上面には、冷蔵保存する貯蔵物を載置できる。チルド室１３は、冷蔵室２内の最下段の仕切棚１１、及び冷蔵室２の底面２ａの間に設けられる。チルド室１３には、貯蔵物を収納する収納ケース１４が設置される。
【００２２】
上部冷凍室４には、冷凍保存する貯蔵物を収納する収納ケース１５が設置される。下部冷凍室５には、冷凍保存する貯蔵物を収納する収納ケース１６が設置される。野菜室６には、野菜を収納する収納ケース１７が設置される。
【００２３】
図２及び図３に示す様に、冷蔵庫１の背面下方には、冷却器１８及び圧縮機１９が設けられる。圧縮機１９は、冷却器１８、図示しない凝縮器及び膨張器に接続される。圧縮機１９の駆動によって、イソブタン等の冷媒が循環して冷凍サイクルが開始される。
【００２４】
そして、冷凍サイクルの低温側となる冷却器１８での熱交換によって、冷気が生成される。また、圧縮機１９は、冷蔵室２、上部冷凍室４及び下部冷凍室５の室内温度が上限設定温度よりも上昇すると駆動され、下限設定温度以下になると停止させるＯＮ／ＯＦＦ制御や、圧縮機の回転数を可変することによって冷凍能力を調整するインバータ制御や、それらを組み合わせた制御などで運転される。
【００２５】
上部冷凍室４及び下部冷凍室５の背後には、第１通風路２０が設けられる。第１通風路２０内には、冷却器１８及び第１送風機２２が配置される。冷蔵室２の背後には、第１通風路２０と接続される冷蔵室通風路２１が設けられる。生成された冷気は、第１通風路２０及び冷蔵室通風路２１を通って、各貯蔵室に供給される。
【００２６】
冷却器１８で生成された冷気は、第１送風機２２によって、矢印Ａに示す様に製氷室吹出口２３から製氷室３へ冷気が吹き出される。また、矢印Ｂに示す様に上部冷凍室吹出口２４から上部冷凍室４へ冷気が吹き出される。同様に、下部冷凍室５にも、図示しない下部冷凍室吹出口が設けられ、これによって、製氷室３、上部冷凍室４及び下部冷凍室５が冷やされる。
【００２７】
製氷室３及び上部冷凍室４は、下部冷凍室５に繋がっている。そのため、製氷室３及び上部冷凍室４を経た冷気は、下部冷凍室５にも流れ込む。下部冷凍室５の後方下部には、冷却器１８へ冷気を戻す戻り通風路２５が設けられる。戻り通風路２５を介して冷気が冷却器１８に戻る。
【００２８】
冷蔵室通風路２１内には、第２送風機２６が設置される。また、第１通風路２０及び冷蔵室通風路２１の間には、冷蔵室ダンパ２７が設けられる。そのため、冷蔵室ダンパ２７を介して第１通風路２０から送り出された冷気は、第２送風機２６によって冷蔵室通風路２１内に流通する。冷蔵室通風路２１内に流通する冷気は、矢印Ｃに示す様に、分岐して冷蔵室通風路２１内を流れる。
【００２９】
また、冷蔵室通風路２１は、冷蔵室２の奥側に設けられた複数の冷蔵室吹出口２８に繋がっている。これにより、冷蔵室通風路２１を流れる冷気は、冷蔵室２内へ吹き出される。
【００３０】
さらに、冷蔵室通風路２１は、チルド室１３の背面側に設けられたチルド室吹出口２９に繋がっている。これにより、冷蔵室通風路２１を流れる冷気は、矢印Ｄに示す様に、チルド室１３の後方から吹き出される。
【００３１】
冷蔵室２の背面下部には、冷蔵室２内の冷気を集め、野菜室６へ送り出す戻り口３０が
設けられる。戻り口３０は、野菜室用通風路３１に繋がっている。そして、戻り口３０から野菜室用通風路３１へ送り出された冷気は、図示しない野菜室吹出口から野菜室６内に吹き出される。このように、冷蔵室通風路２１へ導かれた冷気は、冷蔵室２及びチルド室１３を流通した後、野菜室６へ流入する。
【００３２】
野菜室６へ流入した冷気は、野菜室６内を流れた後、戻り通風路２５を介して冷却器１８へ戻る。冷蔵室２、チルド室１３及び野菜室６が冷却されて設定温度になると、冷蔵室ダンパ２７は閉じられ、冷気を遮断し、設定温度より高くなると再びダンパ２７が開かれ、冷気が供給される。
【００３３】
図４は、本実施形態に用いられるチルド室１３の周辺の概略斜視図である。図５は、本実施形態に用いられるチルド室１３を右側面から見たときの模式断面図である。図６は、本実施形態に用いられるケース部３４の背面５２及びカバー部３５の背面３７を上面から見たときの模式断面図である。
【００３４】
図４及び図５に示す様に、冷蔵室２内の最下段の仕切棚１１、及び冷蔵室２の底面２ａの間の空間のうち、右側にチルド室１３が設けられる。また、左側には、卵ケース３２及び小物ケース３３が設けられる。チルド室１３は、約０℃前後の低い温度で維持される。例えば、チルド室１３には、乳製品、練り製品、発酵食品、加工品、肉及び魚等が貯蔵される。卵ケース３２には、鶏卵が収容される。小物ケース３３には、貯蔵するものに対して特に限定はないが、小瓶やバター等の小物を貯蔵するのに便利である。
【００３５】
チルド室１３は、ケース部３４及びカバー部３５から構成される収納ケース１４が設置される。ケース部３４は、上面が開口された箱型の形状であり、前後方向で移動可能となっている。カバー部３５は、下面が開口された箱型形状であり、仕切棚１１の下方に取り付けられ、ケース部３４を格納状態としたときにケース部３４を上方から覆っている。
【００３６】
このとき、カバー部３５の前部分の下端縁部３５ｆは、シール部材３６ｆを介して、ケース部３４の前部分の上端縁部３４ｆと対向する。また、カバー部３５の側面部分の下端縁部３５ｓは、図示しないシール部材を介して、ケース部３４の側面部分の上端縁部３４ｓと対向する。その結果として、チルド室１３の密閉性は高められる。尚、本実施形態では、シール部材としてパッキンを用いている。
【００３７】
また、ケース部３４の側面部分の上端縁部３４ｓは、正面側ほど高くなり、背面側ほど低くなる様な斜めの形状である。ケース部３４の側面部分の上端縁部３４ｓの傾斜に対応して、カバー部３５の側面部分の下端縁部３５ｓも、正面側ほど高くなり、背面側ほど低くなる様な斜めの形状である。傾斜の角度は、ケース部３４を引き出すときにカバー部３５に引っ掛からず、十分な収容量を確保するために、水平面に対して５〜１５度程度にすることが好ましい。
【００３８】
図５に示す様に、チルド室１３の奥側の壁面部分２ｂには、チルド室吹出口２９及び戻り口３０が設けられる。チルド室吹出口２９は、カバー部３５の背面３７へ向けて冷気を吹き出す。尚、戻り口３０には、野菜室用通風路３１へ向けて、冷蔵室２内の冷気を送り出すためのファン４０が設けても良い。
【００３９】
仕切棚１１及びカバー部３５の上面３５ｕの間には、第１通路４１が設けられる。第１通路４１は、チルド室吹出口２９からの冷気を背面側から前面側へ向けて通している。図５では、チルド室吹出口２９から吹き出され、第１通路４１を通る冷気の流れを実線の白抜矢印で図示している。カバー部３５の上面のほぼ全面に渡って第１通路４１が形成されるため、カバー部３５の上面は、冷気によって全体的に間接冷却される。
【００４０】
また、第１通路４１の両側面には、図示しないガイド壁がそれぞれ設けられ、それぞれのガイド壁の前部分は、ガイド壁流出口４２を有する。ガイド壁流出口４２は、第１通路４１に流れ込んだ冷気をチルド室１３内の収納ケース１４の側面へ流出する。図５では、ガイド壁流出口４２から流出し、収納ケース１４の側面を流れる冷気の流れを点線の白抜矢印で図示している。両側面のガイド壁が有するガイド壁流出口４２から冷気が流出するため、収納ケース１４の側面は、冷気によって全体的に間接冷却される。
【００４１】
ケース部３４及び冷蔵室２の底面２ａの間には、第２通路４３が設けられる。ガイド壁流出口４２から収納ケース１４の側面へ流出した冷気の一部は、収納ケース１４の側面を通って戻り口３０へ向かうが、他の一部は、第２通路４３を通って戻り口３０へ向かっている。
【００４２】
また、第２通路４３は、チルド室１３内を通った冷気だけではなく、冷蔵室２内の冷気を戻り口３０へ向けて通している。図５では、チルド室１３の前面側から戻り口３０へ向かう冷気の流れを黒塗矢印で図示している。ケース部３４の下面のほぼ全面に渡って第２通路４３が形成されるため、ケース部３４の下面も、冷気によって全体的に冷却される。
【００４３】
ここで、収納ケース１４は、チルド室吹出口２９から吹き出される冷気によって冷却されるため、収納ケース１４内に結露が発生することがある。特に、カバー部３５の背面３７は、チルド室吹出口２９から吹き出される冷気が直接当たるため、結露が発生し易い場所となる。
【００４４】
本実施形態では、図５及び図６に示す様に、カバー部３５の背面３７は、ケース部３４の背面５２よりも後方に配置される。また、カバー部３５の背面３７及びケース部３４の背面５２の間には、一部に非接触領域である空隙４７を有する。尚、空隙４７は、チルド室吹出口２９から吹き出される冷気が直接当たる領域に対応して設けられる。
【００４５】
チルド室吹出口２９から吹き出される冷気は、カバー部３５の背面３７のチルド室吹出口２９に対向する領域に直接当たって、温度低下が促進されて結露水が発生する。そして、発生した結露水は、空隙４７から収納ケース１４外へ排出される。その結果、収納ケース１４内において、結露が貯蔵物に付着することを防ぐことができる。尚、収納ケース１４外の冷気を収納ケース１４内へ入りにくくするために、本実施形態では、空隙４７の幅を５ｍｍ程度としている。
【００４６】
また、空隙４７から収納ケース１４外へ排出された結露水を受けるために、冷蔵室２の底面２ａに水受部４８を設ける。水受部４８に溜まった結露水は、戻り口３０へ向かう冷蔵室２内の冷気によって蒸発し、水分を含んだ冷気は、戻り口３０から野菜室用通風路３１を経由して、野菜室６内に流入することになる。
【００４７】
尚、本実施形態では、ケース部３４及びカバー部３５の間に設けられるシール部材として、パッキンを用いているが、それに限定されない。
【００４８】
また、本実施形態では、ケース部３４の背面５２の形状によって空隙４７を有しているが、それに限定されない。例えば、カバー部３５の背面３７の形状によって空隙４７を有しても良いし、カバー部３５の背面３７及びケース部３４の背面５２の間にパッキンを配置し、一部にパッキンを配置しない領域を設け、その領域を空隙４７としても良い。
【００４９】
さらに、本実施形態では、チルド室１３を前提として説明しているが、それに限定されない。例えば、収納ケース１７を有する野菜室６等にも適用可能である。収納ケースを有
する貯蔵室に対して、本発明を適用することができる。
【００５０】
〔実施形態２〕
実施形態２に係る冷蔵庫について、図面を参照して説明すれば、以下の通りである。本実施形態は、カバー部３５の背面３７及びケース部３４の背面５２ａの間には、水平部分の全体に空隙４７ａを有することが、実施形態１とは異なる。本実施形態では、実施形態１と異なる部分を中心に説明を行う。
【００５１】
図７は、本実施形態に用いられるケース部３４の背面５２ａ及びカバー部３５の背面３７を上面から見たときの模式断面図である。
【００５２】
カバー部３５の背面３７及びケース部３４の背面５２ａの間には、全体に非接触領域である空隙４７ａを有することによって、チルド室吹出口２９に対向する領域以外も含めて、カバー部３５の背面３７で発生した結露水は、空隙４７ａから収納ケース１４外へ排出される。
【００５３】
〔実施形態３〕
実施形態３に係る冷蔵庫について、図面を参照して説明すれば、以下の通りである。本実施形態は、ケース部３４の背面５２から後方に延びる延伸部５３を設け、延伸部５３には、上面から見て孔となる空隙４７ｂを有することが、実施形態１とは異なる。本実施形態では、実施形態１と異なる部分を中心に説明を行う。
【００５４】
図８は、本実施形態に用いられるチルド室１３ａを右側面から見たときの模式断面図である。図９は、本実施形態に用いられるケース部３４の背面５２及びカバー部３５の背面３７を上面から見たときの模式断面図である。
【００５５】
ケース部３４の背面５２から後方に延びる延伸部５３を設け、延伸部５３には、空隙４７ｂを有することによって、カバー部３５の背面３７のチルド室吹出口２９に対向する領域で発生した結露水は、空隙４７ｂから収納ケース１４外へ排出される。尚、本実施形態は、延伸部５３に空隙４７ｂを有する構成であるが、実施形態１と同様に、カバー部３５の背面３７及びケース部３４の背面５２の間に、水平部分に空隙４７ｂを有するということになる。
【００５６】
尚、本実施形態では、ケース部３４の背面５２から後方に延びる延伸部５３を設け、延伸部５３に上面から見て孔となる空隙４７ｂを有しているが、それに限定されない。カバー部３５の背面３７から前方に延びる延伸部を設け、その延伸部に上面から見て孔となる空隙を有しても良い。
【００５７】
また、本実施形態では、空隙４７ｂを１個の孔から構成されるが、それに限定されず、複数個の孔から構成されても良い。
【００５８】
〔実施形態４〕
実施形態４に係る冷蔵庫について、図面を参照して説明すれば、以下の通りである。本実施形態は、カバー部３５の上面３５ｕ１が正面側ほど高くなり、背面側ほど低くなる様な斜めの形状であることが、実施形態１とは異なる。本実施形態では、実施形態１と異なる部分を中心に説明を行う。
【００５９】
図１０は、本実施形態に用いられるチルド室１３ｂを右側面から見たときの模式断面図である。カバー部３５は、正面側の上端より背面側の上端の高さが低くなる斜めの形状である。
【００６０】
カバー部３５の上面３５ｕ１をこの様な構成にすることによって、カバー部３５の上面３５ｕ１で発生する結露水が背面３７へ流れ寄る。そして、カバー部３５の背面３７で発生する結露水に加えて、カバー部３５の上面３５ｕ１で発生する結露水も、空隙４７から収納ケース１４外へ排出することになる。従って、実施形態１と比べて、結露水の排出が促進されるため、結露が貯蔵物に付着することを防止する効果がより高くなる。
【００６１】
尚、本実施形態では、カバー部３５の上面３５ｕ１が正面側から背面側に向けて、徐々に高さが低くなる斜め形状であるが、それに限定されない。例えば、カバー部３５の上面３５ｕ１が正面側から途中までは水平な形状であり、その途中から背面側に向けて高さが低くなる斜めの形状であっても良い。
【００６２】
〔実施形態５〕
実施形態５に係る冷蔵庫について、図面を参照して説明すれば、以下の通りである。本実施形態は、チルド室１３ｃの奥側の壁面部分２ｂに、冷蔵室通風路２１への戻り口４９が設けられることが、実施形態１とは異なる。本実施形態では、実施形態１と異なる部分を中心に説明を行う。
【００６３】
図１１は、本実施形態に用いられるチルド室１３ｃを右側面から見たときの模式断面図である。チルド室１３の奥側の壁面部分２ｂに、冷蔵室通風路２１への戻り口４９が設けられる。戻り口４９には、冷蔵室通風路２１へ向けて、チルド室１３ｃ及び冷蔵室２内の冷気を送り出すためのファン５０が設けられる。戻り口４９から吹き出される冷気は、ダクト５１を経由して冷蔵室通風路２１へ送り出される。
【００６４】
ここで、水受部４８に溜まった結露水は、戻り口３０及び戻り口４９へ向かう冷蔵室２内の冷気によって蒸発する。そして、水分を含んだ冷気の一部は、戻り口３０から野菜室用通風路３１を経由して、野菜室６内に流入することになる。また、水分を含んだ冷気の他の一部は、戻り口４９からダクト５１及び冷蔵室通風路２１を経由して、冷蔵室２及びチルド室１３内にも還元される。特に、水分を含んだ冷気が冷蔵室２に流入することによって、冷蔵室２内の貯蔵物を潤わせることが可能となる。
【００６５】
尚、本実施形態では、ダクト５１は、冷蔵室通風路２１に繋がっているが、それに限定されない。ダクト５１は、冷蔵室通風路２１に繋がらずに、冷蔵室２に繋がっていても良い。
【００６６】
以上、実施形態１〜５について具体的に説明を行ったが、本発明はそれらに限定されるものではない。上述した５つ実施形態にそれぞれ開示された技術的手段を適宜組み合せて得られる実施形態についても本発明の技術的範囲に含まれる。
【産業上の利用可能性】
【００６７】
本発明に係る冷蔵庫は、貯蔵室内に収納ケースを備えた冷蔵庫全般に広く適用することができる。
【符号の説明】
【００６８】
１  冷蔵庫
２  冷蔵室
２ａ  底面
２ｂ  壁面部分
１３  チルド室
１４  収納ケース
２１  冷蔵室通風路
２９  チルド室吹出口
３４  ケース部
３５  カバー部
３５ｕ  上面
３７  背面
４５  ダンパ
４７  空隙
４８  水受部
４９  戻り口
５１  ダクト
５２  背面
５３  延伸部
【図１】
2018109512.tif 000003
【図２】
2018109512.tif 000004
【図３】
2018109512.tif 000005
【図４】
2018109512.tif 000006
【図５】
2018109512.tif 000007
【図６】
2018109512.tif 000008
【図７】
2018109512.tif 000009
【図８】
2018109512.tif 000010
【図９】
2018109512.tif 000011
【図１０】
2018109512.tif 000012
【図１１】
2018109512.tif 000013
【図１２】
2018109512.tif 000014